(57)【特許請求の範囲】
【請求項１】
ビームフォーミングを用いる無線通信システムにおける端末がスケジューリング情報を受信する方法であって、
第１の基地局から第１のスケジューリングチャンネルを介してスケジューリング情報を受信するステップと、
前記第１の基地局と協調する少なくとも一つの第２の基地局から少なくとも一つの受信ビームを用いて少なくとも一つの第２のスケジューリングチャンネルを介してスケジューリング情報を受信するステップと、を含むことを特徴とするスケジューリング情報を受信する方法。
【請求項２】
前記少なくとも一つの第２のスケジューリングチャンネルは、前記少なくとも一つの受信ビームの受信性能に基づいて定められることを特徴とする請求項１に記載のスケジューリング情報を受信する方法。
【請求項３】
前記少なくとも一つの第２のスケジューリングチャンネルの各チャンネルは、対応する方向の受信ビームを用いて受信されることを特徴とする請求項１に記載のスケジューリング情報を受信する方法。
【請求項４】
前記端末が前記少なくとも一つの第２の基地局の信号強さを測定して各々その測定結果を該当基地局に伝送するステップをさらに含むことを特徴とする請求項１に記載のスケジューリング情報を受信する方法。
【請求項５】
前記端末のデータ送受信のためのリソースと前記少なくとも一つの第２のスケジューリングチャンネルのうち少なくとも一つのリソースが衝突する場合、前記衝突が発生される第２のスケジューリングチャンネルの受信を省略するステップをさらに含むことを特徴とする請求項１に記載のスケジューリング情報を受信する方法。
【請求項６】
前記第１のスケジューリングチャンネルと前記少なくとも一つの第２のスケジューリングチャンネルのうち少なくとも一つのチャンネルを介して前記少なくとも一つの第２の基地局とデータ送受信のためのスケジューリング情報を受信するステップをさらに含むことを特徴とする請求項１に記載のスケジューリング情報を受信する方法。
【請求項７】
前記第１のスケジューリングチャンネルを介して受信された情報と前記少なくとも一つの第２のスケジューリングチャンネルを介して受信された情報とを結合して復号化するステップをさらに含むことを特徴とする請求項１に記載のスケジューリング情報を受信する方法。
【請求項８】
前記少なくとも一つの第２のスケジューリングチャンネルは、該当受信ビームの受信性能によって優先順位が定められることを特徴とする請求項１に記載のスケジューリング情報を受信する方法。
【請求項９】
前記端末の周辺基地局間の交渉を通して前記周辺基地局のうちで前記第１の基地局と前記少なくとも一つの第２の基地局が定められることを特徴とする請求項１に記載のスケジューリング情報を受信する方法。
【請求項１０】
前記第１のスケジューリングチャンネルから前記端末がスケジューリングされないことを指示する情報を受信するステップと、
前記情報を受信する場合、前記第１のスケジューリングチャンネルと前記少なくとも一つの第２のスケジューリングチャンネルを介したスケジューリング情報の受信動作を中断するステップをさらに含むことを特徴とする請求項１に記載のスケジューリング情報を受信する方法。
【請求項１１】
ビームフォーミングを用いる無線通信システムにおけるスケジューリング情報を受信する端末であって、
無線ネットワークを通して第１の基地局と少なくとも一つの第２の基地局からデータを受信する受信部と、
前記第１の基地局から第１のスケジューリングチャンネルを介してスケジューリング情報を受信し、前記第１の基地局と協調する少なくとも一つの第２の基地局から少なくとも一つの受信ビームを用いて少なくとも一つの第２のスケジューリングチャンネルを介してスケジューリング情報を受信する動作を制御する制御部と、を含むことを特徴とする端末。
【請求項１２】
前記少なくとも一つの第２のスケジューリングチャンネルは、前記少なくとも一つの受信ビームの受信性能に基づいて定められることを特徴とする請求項１１に記載の端末。
【請求項１３】
前記少なくとも一つの第２のスケジューリングチャンネルの各チャンネルは、対応する方向の受信ビームを用いて受信されることを特徴とする請求項１１に記載の端末。
【請求項１４】
無線ネットワークを通してデータを送信する送信部をさらに含み、
前記制御部は、前記少なくとも一つの第２の基地局の信号強さを各々測定し、その測定結果を該当基地局に伝送する動作をさらに制御することを特徴とする請求項１１に記載の端末。
【請求項１５】
前記制御部は、データ送受信のためのリソースと前記少なくとも一つの第２のスケジューリングチャンネルのうち少なくとも一つのリソースが衝突する場合、前記衝突が発生される第２のスケジューリングチャンネルの受信を省略するようにさらに制御することを特徴とする請求項１１に記載の端末。
【請求項１６】
前記第１のスケジューリングチャンネルと前記少なくとも一つの第２のスケジューリングチャンネルのうち少なくとも一つのチャンネルを介して前記少なくとも一つの第２の基地局とデータ送受信のためのスケジューリング情報を受信するステップをさらに含むことを特徴とする請求項１１に記載の端末。
【請求項１７】
前記制御部は、前記第１のスケジューリングチャンネルを介して受信された情報と前記少なくとも一つの第２のスケジューリングチャンネルを介して受信された情報とを結合して復号化する動作をさらに制御することを特徴とする請求項１１に記載の端末。
【請求項１８】
前記少なくとも一つの第２のスケジューリングチャンネルは、該当受信ビームの受信性能によって優先順位が定められることを特徴とする請求項１１に記載の端末。
【請求項１９】
前記端末の周辺基地局間の交渉を通して前記周辺基地局のうちで前記第１の基地局と前記少なくとも一つの第２の基地局が定められることを特徴とする請求項１１に記載の端末。
【請求項２０】
前記制御部は、前記第１のスケジューリングチャンネルから前記端末がスケジューリングされないことを指示する情報を受信する場合、前記第１のスケジューリングチャンネルと前記少なくとも一つの第２のスケジューリングチャンネルの受信動作を中断するようにさらに制御することを特徴とする請求項１１に記載の端末。
【請求項２１】
ビームフォーミングを用いる無線通信システムにおける基地局がスケジューリング情報を伝送する方法であって、
前記基地局と協調する少なくとも一つの基地局と端末に対するスケジューリングを交渉するステップと、
前記交渉の結果によって、第１のスケジューリングチャンネルと少なくとも一つの第２のスケジューリングチャンネルのうち定められたスケジューリングチャンネルを介してスケジューリング情報を伝送するステップと、を含み、
前記第１のスケジューリングチャンネルと前記少なくとも一つの第２のスケジューリングチャンネルの各チャンネルは、前記端末の受信ビーム別に設定されることを特徴とするスケジューリング情報を伝送する方法。
【請求項２２】
前記少なくとも一つの第２のスケジューリングチャンネルは、前記少なくとも一つの受信ビームの受信性能に基づいて定められることを特徴とする請求項２１に記載のスケジューリング情報を伝送する方法。
【請求項２３】
前記第１のスケジューリングチャンネルと前記少なくとも一つの第２のスケジューリングチャンネルの各チャンネルは、前記端末の方向別受信ビームに対応することを特徴とする請求項２１に記載のスケジューリング情報を伝送する方法。
【請求項２４】
前記端末から受信信号強さに対する測定結果を受信するステップをさらに含み、
前記測定結果に基づいて前記第１のスケジューリングチャンネルと前記少なくとも一つの第２のスケジューリングチャンネルのうち前記基地局が伝送するスケジューリングチャンネルが定められることを特徴とする請求項２１に記載のスケジューリング情報を伝送する方法。
【請求項２５】
前記少なくとも一つの第２のスケジューリングチャンネルは、該当受信ビームの受信性能によって優先順位が定められることを特徴とする請求項２１に記載のスケジューリング情報を伝送する方法。
【請求項２６】
前記端末がスケジューリングされない場合、前記定められたスケジューリングチャンネルを介して前記端末がスケジューリングされないことを指示する情報を伝送するステップをさらに含むことを特徴とする請求項２１に記載のスケジューリング情報を伝送する方法。
【請求項２７】
ビームフォーミングを用いる無線通信システムにおけるスケジューリング情報を伝送する基地局であって、
無線ネットワークを通してデータを送受信する送受信部と、
前記基地局と協調する少なくとも一つの基地局との通信のための通信インターフェースと、
前記少なくとも一つの基地局と端末に対するスケジューリングを交渉し、前記交渉の結果によって、第１のスケジューリングチャンネルと少なくとも一つの第２のスケジューリングチャンネルのうち定められたスケジューリングチャンネルを介してスケジューリング情報を伝送する動作を制御する制御部と、を含み、
前記第１のスケジューリングチャンネルと前記少なくとも一つの第２のスケジューリングチャンネルの各チャンネルは、前記端末の受信ビーム別に設定されることを特徴とする基地局。
【請求項２８】
前記少なくとも一つの第２のスケジューリングチャンネルは、前記少なくとも一つの受信ビームの受信性能に基づいて定められることを特徴とする請求項２７に記載の基地局。
【請求項２９】
前記第１のスケジューリングチャンネルと前記少なくとも一つの第２のスケジューリングチャンネルの各チャンネルは、前記端末の方向別受信ビームに対応することを特徴とする請求項２７に記載の基地局。
【請求項３０】
前記制御部は、前記端末から受信信号強さに対する測定結果をさらに受信し、
前記測定結果に基づいて、前記第１のスケジューリングチャンネルと前記少なくとも一つの第２のスケジューリングチャンネルのうち前記基地局が伝送するスケジューリングチャンネルが定められることを特徴とする請求項２７に記載の基地局。
【請求項３１】
前記少なくとも一つの第２のスケジューリングチャンネルは、該当受信ビームの受信性能によって優先順位が定められることを特徴とする請求項２７に記載の基地局。
【請求項３２】
前記制御部は、前記端末がスケジューリングされない場合、前記定められたスケジューリングチャンネルを介して前記端末がスケジューリングされないことを指示する情報を伝送する動作をさらに制御することを特徴とする請求項２７に記載の基地局。
【発明の詳細な説明】
【技術分野】
【０００１】
本発明は、無線通信システムにおける複数の基地局が端末に対してスケジューリング（scheduling）及び／または制御信号（control signal）（以下、スケジューリング情報）を効率的に送受信する方法及び装置に関する。
【背景技術】
【０００２】
スマートフォンなどのような端末の利用により、移動通信ユーザが使用する平均データの量は、幾何級数的に増加しており、これと共により高いデータ送信率に対するユーザの要求も持続的に増えている。一般的に、高いデータ送信率を提供する方法には、より広い（Wide）周波数帯域を使用して通信を提供する方法と周波数使用効率を高める方法がある。
【０００３】
しかしながら、後者の方法で、より高い平均データ送信率を提供することは、非常に難しい。これは、現世代の通信技術が既に理論的な限界値に近くの周波数使用効率を提供しているので、技術改良によりそれ以上に周波数使用効率を高めることが難しいからである。したがって、データ送信率を高める実現可能な方法は、より広い周波数帯域を通してデータサービスを提供することである。この時、考慮しなければならないことは、使用可能周波数帯域である。
【０００４】
現在の周波数分配ポリシー上、１ＧＨｚ以上の広域通信が可能な帯域は、限定的であり、現実的に選択可能な周波数帯域は、３０ＧＨｚ以上のミリメートル波（ｍｍＷ）帯域のみである。このような高い周波数帯域では、従来のセルラーシステムが使用する２ＧＨｚ帯域とは異なり、距離に従う信号減衰が過度に発生する。このような信号減衰によって、従来のセルラーシステムと同一の電力を使用する基地局の場合、サービスを提供するカバレッジが非常に減少するようになる。
【０００５】
これに従う問題を解決するために、送受信電力を狭い空間に集中してアンテナの送受信効率を高めるビームフォーミング（Beam Forming）技法が広く使用される。
【０００６】
図１は、アレイ（Array）アンテナを用いてビームフォーミングを提供する基地局と端末を示した図である。
【０００７】
図１を参照すると、基地局１１０は、各セル（またはセクター）１０１、１０３、１０５ごとに複数のアレイアンテナ（Array 0、Array 1）を使用してダウンリンク送信（Ｔｘ）ビーム１１１の方向を変更しながらデータを送信することができる。また端末１３０も受信（Ｒｘ）ビーム１３１の方向を変更しながらデータを受信することができる。
【０００８】
上記ビームフォーミング技法を使用して通信を遂行するシステムで、基地局１１０及び端末１３０は、多様な送信ビームの方向と受信ビームの方向のうちで最適のチャンネル環境を表す送信ビームの方向と受信ビームの方向を選択してデータサービスを提供する。このような過程は、基地局１１０から端末１３０へデータを送信するダウンリンクチャンネルだけでなく、端末１３０から基地局１１０へデータを送信するアップリンクチャンネルにも同一に適用される。
【０００９】
図２は、上記ビームフォーミング技法を使用して通信を遂行するシステムで、基地局１１０が特定ビーム幅（beam width）を有する送信ビームを通して信号を伝送する一例を示した図である。
【００１０】
図２で、基地局１１０は、地面から一定高さ２０１の位置に設置されており、予め定められたビーム幅２０３を有していることを示している。基地局のビーム幅２０３は、仰角（elevation angel）と方位角（azimuth）の各々に対して定義され得る。また図２は、基地局１１０の送信ビームが特定仰角２０５に該当する方向に送信されることを示している。そして図２には図示せずが、上記方位角は、送信ビームが伝播される水平方向の角度であることが分かる。
【００１１】
図３は、図２のような方式に設置された基地局１１０で、基地局１１０が設置された高さ２０１が３５ｍであり、基地局１１０が仰角と方位角の各々に対して、５゜のビーム幅を有する送信ビームを、例えば、３０゜の角度と２００ｍのカバレッジを有する一つのセクター内で送信した場合、基地局１１０が送信できる送信ビームの数とこれを受信する端末の受信ビームの数を示す図である。図３の例では、仰角と方位角の各々に対して５゜のビーム幅を有する９６個の送信ビームを用いて３０゜の角度と２００ｍのカバレッジを有する一つのセクターを構成する場合を示している。
【００１２】
ビームフォーミングシステムで、端末は、物理的な空間の制約と性能上の制約、コストの制約などにより、一般的に基地局のように狭いビーム幅を有する多くの数の送受信ビームを形成し難い。図３の例では、端末１３０が４個の受信ビーム（ＲＸ１、ＲＸ２、ＲＸ３、ＲＸ４）を形成して基地局１１０が送信した送信ビームを受信する場合を示している。この場合、各受信ビームの方位角ビーム幅は、概略９０゜程度を表すようになる。
【００１３】
上記ビームフォーミングを使用するシステムで、一般的に狭い送信ビームの場合、高いアンテナ利得（antenna gain）を有しているが、狭いビーム幅により送受信ビームの方向が外れる場合、通信性能を保障し難い短所がある。また送受信範囲が制限され、送信ビームと受信ビームとの間に反射体や透過が難しい物体が割り込む場合、瞬間的に通信が断絶される問題が発生することがある。このような問題を一般的にリンク不安定（link fragility）問題と定義する。上記リンク不安定問題を解決する一般的な方法で、一つの端末が複数の基地局とデータ送受信チャンネルを維持する方案が使用される。
【００１４】
図４Ａは、一般的なビームフォーミングシステムで、複数の基地局が端末とデータ送受信チャンネルを維持する一例を示した図である。
【００１５】
図４Ａを参照すると、端末４２１が受信信号強さを基準にして一つ以上の周辺基地局４１１、４１３、４１５、４１７（Ｃｅｌｌ−０、Ｃｅｌｌ−４、Ｃｅｌｌ−５、Ｃｅｌｌ−１１）を一つのサービング基地局グループ（Serving base station group又はCloud cell）で縛って、そのグループに属する基地局４１１、４１３、４１５、４１７の信号を周期的に測定してデータ送受信チャンネルを維持する場合を例示した図である。
【００１６】
図４Ａの例で、ビームフォーミングシステムは、端末４２１の周辺基地局４１１、４１３、４１５、４１７のうちで信号の強さが最も強い基地局４１１（Ｃｅｌｌ−０）を端末４２１のサービング基地局（Serving base station）として選択し、それ以外の基地局４１３、４１５、４１７（Ｃｅｌｌ−４、Ｃｅｌｌ−５、Ｃｅｌｌ−１１）をスケジューリング候補基地局（scheduling candidate base station）として区分することができる。端末４２１は、正常なチャンネル状況では、基地局４１１（Ｃｅｌｌ−０）を通して制御信号とデータを送受信し、それと同時にスケジューリング候補基地局である基地局４１３、４１５、４１７（Ｃｅｌｌ−４、Ｃｅｌｌ−５、Ｃｅｌｌ−１１）の信号も周期的に測定して該当基地局４１３、４１５、４１７（Ｃｅｌｌ−４、Ｃｅｌｌ−５、Ｃｅｌｌ−１１）とデータ送受信チャンネルを維持する。このような動作を通してビームフォーミングシステムは、端末４２１と基地局４１１（Ｃｅｌｌ−０）間のリンクが不安定な場合、端末４２１は、サービング基地局グループに属する他の基地局４１３、４１５、４１７（Ｃｅｌｌ−４、Ｃｅｌｌ−５、Ｃｅｌｌ−１１）を通してデータ送受信を続けることができる。
【００１７】
ビームフォーミングシステムで、端末は、一般的に物理的な空間の制約と性能上の制約、コストの制約などにより、特定送受信時点に制限された数の送受信ビームのみを生成することができる。図４Ａの例は、端末４２１が毎送受信時点で一つの受信ビームのみを形成することを仮定している。端末４２１は、形成可能な一つの受信ビームを用いてデータ送受信に対するスケジューリング情報をサービング基地局グループに属する基地局４１１、４１３、４１５、４１７（Ｃｅｌｌ−０、Ｃｅｌｌ−４、Ｃｅｌｌ−５、Ｃｅｌｌ−１１）から受信しなければならない。
【００１８】
上記サービング基地局グループに属する二以上の基地局が該当端末４２１にスケジューリング情報を送信する場合、端末４２１は、その基地局４１１、４１３、４１５、４１７（Ｃｅｌｌ−０、Ｃｅｌｌ−４、Ｃｅｌｌ−５、Ｃｅｌｌ−１１）が送信したスケジューリング情報を一つの受信ビームを用いて各々相異なる時点で受信しなければならない。このためにサービング基地局グループに属する各基地局４１１、４１３、４１５、４１７（Ｃｅｌｌ−０、Ｃｅｌｌ−４、Ｃｅｌｌ−５、Ｃｅｌｌ−１１）のスケジューリング情報送信時点は、相異なるように定義されなければならなく、端末４２１は、各時点ごとに毎基地局がスケジューリング情報を送信したかを判断しなければならない。
【００１９】
このように、基地局間のスケジューリング時点を衝突が発生しないように定義することは、一般的に難しいことであり、また端末４２１がサービング基地局グループに属する各基地局別にスケジューリング情報を受信する場合、端末４２１の電力消耗が非常に増加する問題が発生する。このような問題を解決するために、サービング基地局グループに属する特定基地局を指定して該当端末に対するスケジューリング及び／または制御信号を送受信する基地局として使用することができる。図４Ａの例では、サービング基地局である基地局４１１（Ｃｅｌｌ−０）が該当端末４２１に対するスケジューリング及び／または制御信号を送受信する場合を示している。
【００２０】
図４Ｂは、一般的なビームフォーミングシステムにおける端末が複合再転送（ＨＡＲＱ：Hybrid automatic retransmit request）を用いてデータパケットを受信する例を示した図である。
【００２１】
図４Ｂの（Ａ）を参照すると、端末４２１は、例えば、サブフレーム０でサービング基地局４１１（Ｃｅｌｌ−０）からスケジューリング情報を受信し、該当サブフレームに上記スケジューリング情報が指示するサービング基地局４１１（Ｃｅｌｌ−０）から送信されたデータパケットを受信する。
【００２２】
図４Ｂの（Ｂ）を参照すると、端末４２１が一番目のデータパケットの復号化に失敗した場合を仮定する。以後、端末４２１は、サブフレーム３でサービング基地局４１１（Ｃｅｌｌ−０）からスケジューリング情報を受信し、上記スケジューリング情報が指示する基地局４１３（Ｃｅｌｌ−５）から一番目の複合再転送パケットを受信する。図４Ｂの（Ｃ）を参照すると、端末４２１が基地局４１３（Ｃｅｌｌ−５）から受信した一番目の複合再転送パケットの復号化も失敗した場合を仮定する。以後、端末４２１は、サブフレーム７でサービング基地局４１１（Ｃｅｌｌ−０）からスケジューリング情報を受信して上記スケジューリング情報が指示する基地局４１７（Ｃｅｌｌ−７）から二番目の複合再転送パケットを受信する。
【００２３】
図４Ａ及び図４Ｂで示したように、サービング基地局グループに属する特定基地局を指定して該当端末に対するスケジューリング及び／または制御信号を送受信する基地局として使用する場合、該当基地局と端末との間のリンクが不安定になる場合、スケジューリング及び／または制御信号自体の送受信が難しくなるので、データ通信を持続し難くなる。またサービング基地局グループに属する他の基地局のチャンネル状況がスケジューリング及び／または制御信号を送信するサービング基地局よりもより良い場合にも、サービング基地局を通してスケジューリング及び／または制御信号を送受信しなければならないので、スケジューリング及び／または制御信号を送受信するチャンネルの性能が最適化されない問題が発生する。
【発明の概要】
【発明が解決しようとする課題】
【００２４】
本発明は、ビームフォーミングを用いる無線通信システムで、複数の基地局を通してスケジューリング情報を効率的に伝送する方法及び装置を提供する。
【００２５】
また本発明は、ビームフォーミングを用いる無線通信システムで、端末が複数の基地局からスケジューリング情報を効率的に受信する方法及び装置を提供する。
【課題を解決するための手段】
【００２６】
本発明の実施形態によって、ビームフォーミングを用いる無線通信システムにおける端末がスケジューリング情報を受信する方法は、第１の基地局から第１のスケジューリングチャンネルを介してスケジューリング情報を受信するステップと、上記第１の基地局と協調する少なくとも一つの第２の基地局から少なくとも一つの受信ビームを用いて少なくとも一つの第２のスケジューリングチャンネルを介してスケジューリング情報を受信するステップと、を含む。
【００２７】
本発明の実施形態によって、ビームフォーミングを用いる無線通信システムにおけるスケジューリング情報を受信する端末は、無線ネットワークを通して第１の基地局と少なくとも一つの第２の基地局からデータを受信する受信部と、上記第１の基地局から第１のスケジューリングチャンネルを介してスケジューリング情報を受信し、上記第１の基地局と協調する少なくとも一つの第２の基地局から少なくとも一つの受信ビームを用いて少なくとも一つの第２のスケジューリングチャンネルを介してスケジューリング情報を受信する動作を制御する制御部と、を含む。
【００２８】
本発明の実施形態によって、ビームフォーミングを用いる無線通信システムにおける基地局がスケジューリング情報を伝送する方法は、上記基地局と協調する少なくとも一つの基地局と上記端末に対するスケジューリングを交渉するステップと、上記交渉結果によって、第１のスケジューリングチャンネルと少なくとも一つの第２のスケジューリングチャンネルのうち定められたスケジューリングチャンネルを介してスケジューリング情報を伝送するステップと、を含み、上記第１のスケジューリングチャンネルと上記少なくとも一つの第２のスケジューリングチャンネルの各チャンネルは、上記端末の受信ビーム別に設定される。
【００２９】
本発明の実施形態によって、ビームフォーミングを用いる無線通信システムにおけるスケジューリング情報を伝送する基地局は、無線ネットワークを通してデータを送受信する送受信部と、上記基地局と協調する少なくとも一つの基地局との通信のための通信インターフェースと、上記少なくとも一つの基地局と上記端末に対するスケジューリングを交渉し、上記交渉結果によって、第１のスケジューリングチャンネルと少なくとも一つの第２のスケジューリングチャンネルのうち定められたスケジューリングチャンネルを介してスケジューリング情報を伝送する動作を制御する制御部と、を含み、上記第１のスケジューリングチャンネルと上記少なくとも一つの第２のスケジューリングチャンネルの各チャンネルは、上記端末の受信ビーム別に設定される。
【図面の簡単な説明】
【００３０】
【図１】アレイアンテナを用いてビームフォーミングを提供する基地局と端末を含む一般的なビームフォーミングシステムを示した図である。
【図２】一般的なビームフォーミングシステムで、基地局が特定ビーム幅を有する送信ビームを通して信号を伝送する一例を示した図である。
【図３】一般的なビームフォーミングシステムで、基地局が送信できる送信ビームの数とこれを受信する端末の受信ビームの数を示す図である。
【図４Ａ】一般的なビームフォーミングシステムで、複数の基地局が端末とデータ送受信チャンネルを維持する一例を示した図である。
【図４Ｂ】一般的なビームフォーミングシステムで、端末がＨＡＲＱを用いてデータパケットを受信する例を示した図である。
【図５】本発明の実施形態によってビームフォーミングを用いる無線通信システムで、端末の受信ビーム方向別スケジューリングチャンネルの例を示した図である。
【図６】本発明の実施形態によってビームフォーミングを用いる無線通信システムで信号を送受信するためのフレーム構造の一例を示した図である。
【図７Ａ】本発明の実施形態による端末の受信ビーム方向別サブスケジューリングチャンネルを図６のフレーム構造を用いて示した図である。
【図７Ｂ】本発明の実施形態による端末の受信ビーム方向別サブスケジューリングチャンネルを図６のフレーム構造を用いて示した図である。
【図８】本発明の実施形態によってサブスケジューリングチャンネルで相異なる基地局が端末にデータ送信をスケジューリングした例を示した図である。
【図９】本発明の実施形態によってビームフォーミングを用いる無線通信システムで、端末がＨＡＲＱを用いてデータパケットを受信する例を示した図である。
【図１０】本発明の実施形態によって受信ビーム別サブスケジューリングチャンネルを介してスケジューリング情報を受信する端末の動作を示したフローチャートである。
【図１１】本発明で提案する受信ビーム別サブスケジューリングチャンネルを介してスケジューリング情報を送信する基地局の動作を示したフローチャートである。
【図１２】本発明の他の実施形態によるフレーム構造の一例を示した図である。
【図１３】本発明の他の実施形態によって、端末がスケジューリングチャンネルを介してスケジューリング情報を受信する動作を示したフローチャートである。
【図１４】本発明の他の実施形態によって基地局がスケジューリングチャンネルを介してスケジューリング情報を送信する動作を示したフローチャートである。
【図１５】本発明のもう一つの実施形態によってスケジューリング情報を結合送受信するためのフレーム構造の一例を示した図である。
【図１６】本発明の実施形態による基地局の構成を示したブロック図である。
【図１７】本発明の実施形態による端末の構成を示したブロック図である。
【発明を実施するための形態】
【００３１】
以下、本発明の望ましい実施形態を添付の図面を参照して詳細に説明する。
【００３２】
次の説明において、具体的な構成及び構成要素のような特定詳細は、ただ本発明の実施形態の全般的な理解を助けるために提供されるだけである。したがって、本発明の範囲及び趣旨を逸脱することなく、以下に説明される本発明の様々な変形及び変更が可能であることは、当該技術分野における通常の知識を持つ者には明らかである。なお、公知の機能または構成に関する具体的な説明は、明瞭性と簡潔性のために省略する。
【００３３】
本発明の実施形態では、ビームフォーミングを使用するシステムで、複数の基地局が一つの端末に対して効率的にスケジューリング及び／または制御信号（以下、スケジューリング情報）を送受信できる方案を提案する。このために本発明の実施形態では、特定端末に対してサービング基地局でスケジューリング及び／または制御信号を送信するメインスケジューリング及び／または制御チャンネル（以下、メインスケジューリングチャンネル）に加えて、端末の受信ビーム方向別にサブスケジューリング及び／または制御チャンネル（以下、サブスケジューリングチャンネル）を設定する方法を提案する。端末の受信ビーム方向別に定義される上記サブスケジューリングチャンネルは、相異なる時間、周波数リソース、送受信ビームを使用して送受信され得る。
【００３４】
また本発明の実施形態では、特定基地局が上記端末にスケジューリング及び／または制御信号を送信する時、その基地局と端末との間の最適の受信ビームに該当する（メイン又はサブ）スケジューリング及び制御チャンネルを介してスケジューリング及び／または制御信号を送信する方法を提案する。また上記基地局が上記端末のサービング基地局である場合、メインスケジューリングチャンネルを用いてスケジューリング及び／または制御信号を送信し、サービング基地局ではない場合、最適の（メイン又はサブ）スケジューリング及び制御チャンネルを介してスケジューリング及び／または制御信号（以下、スケジューリング情報と称する。）を送信する方法を提案する。
【００３５】
また本発明の実施形態では、上記端末が特定スケジューリング時点でいずれの基地局からもスケジューリングされない場合、サービング基地局がメインスケジューリングチャンネルを介してスケジューリングされなかったという情報（Not scheduled indication）を送信する方法を提案する。
【００３６】
また本発明の実施形態では、端末がメインスケジューリングチャンネルと端末の受信ビーム別に定義されたサブスケジューリングチャンネルを用いて相異なる基地局が送信したスケジューリング及び／または制御信号を効果的に受信する方法を提案する。また本発明の実施形態では、端末が受信ビーム方向別に定義されたサブスケジューリングチャンネルをそのチャンネルに対応する受信ビームを用いて相異なる時間又は周波数リソースで受信する方法を提案する。また本発明の実施形態では、上記端末が各基地局別に最適の送受信ビームを測定し、その情報を周期的に各基地局に報告する方法を提案する。
【００３７】
また本発明の実施形態では、上記端末の特定サブスケジューリングチャンネルが上記端末にスケジューリングされたデータ送受信領域と時間、周波数、送受信ビーム側面で衝突が発生した場合、該当サブスケジューリングチャンネルの受信を省略する方法を提案する。また本発明では、上記端末がメインスケジューリングチャンネルを介してスケジューリングされなかったという情報（Not scheduled indication）を受信した場合、全てのサブスケジューリングチャンネルの受信を省略する方法を提案する。
【００３８】
本発明の実施形態は、複数の基地局が端末に複数のスケジューリングチャンネルを通してスケジューリング情報を伝送する方法を提案する。したがって、メインスケジューリングチャンネルとサブスケジューリングチャンネルは、相異なる基地局が伝送するスケジューリングチャンネルを区分する意味として理解され得る。またスケジューリングチャンネルの役割によって主な役割をするメインスケジューリングチャンネルと補助的な役割をするサブスケジューリングチャンネルにも理解され得る。以下、詳細な説明で、スケジューリングチャンネルを送受信することは、便宜上、記述されたものであり、これは、スケジューリングチャンネルを介してスケジューリング情報を送受信することとして理解される。
【００３９】
すなわち、本発明の実施形態で記述するメインスケジューリングチャンネルとサブスケジューリングチャンネルの用語は、説明の便宜上、区分のためのものであり、その用語がスケジューリングチャンネルの役割を限定するものではないことに留意すべきである。
【００４０】
図５は、本発明の実施形態によってビームフォーミングを用いる無線通信システムで、端末の受信ビーム方向別スケジューリングチャンネルの一例を示した図である。
【００４１】
図５の例は、端末５２１が４個の受信ビーム（ＲＸ１〜ＲＸ４）５３１、５３３、５３５、５３７方向を有しており、基地局のうち最も近くのセクター１（Ｓｅｃｔｏｒ１）が端末５２１のサービング基地局５１１である場合の例である。端末５２１は、サービング基地局５１１であるセクター１が送信するメインスケジューリングチャンネルをセクター１に対して最適である受信ビーム（ＲＸ２）５３３を用いて受信する。これに加えて、端末５２１は、受信ビーム方向別に定義されたサブスケジューリングチャンネルをそれぞれの受信ビーム（ＲＸ１〜ＲＸ４）５３１、５３３、５３５、５３７を用いて受信する。端末５２１がメインスケジューリングチャンネルを受信する受信ビーム（ＲＸ２）５３３に対しては、サブスケジューリングチャンネルが別に定義されないことがある。この場合、端末５２１は、メインスケジューリングチャンネルのリソース領域を通してサービング基地局以外の基地局（例えば、図５の受信ビーム（ＲＸ２）方向では、参照番号５１３）が送信するスケジューリング及び／または制御信号を受信ビーム（ＲＸ２）を用いて受信することができる。
【００４２】
図６は、本発明の実施形態によってビームフォーミングを用いる無線通信システムで、信号を送受信するためのフレーム構造の一例を示した図である。
【００４３】
図６を参照すると、一つのフレーム６０１は、例えば、５ｍｓの長さを有し、５個のサブフレーム６０３で構成されている。ここで、フレーム６０１の長さとサブフレーム６０３の個数は、一例にすぎないもので、本発明の実施形態が図６の実施形態に限定されるものではないことに留意すべきである。
【００４４】
それぞれのサブフレーム６０３は、基地局から端末に向けて信号を送信するダウンリンク送信区間６１１、６１３、６１５と端末から基地局に向けて信号を送信するアップリンク送信区間６２１、６２３、６２５に分けられる。図６を参照すると、ダウンリンク送信区間６１１、６１３、６１５の一部は、スケジューリング情報を伝送するためのスケジューリング領域６３１、６３３、６３５として使用され、またダウンリンク送信区間６１１、６１３、６１５の一部は、ダウンリンク参照信号（reference signal）を送信するための参照信号領域６５１、６５３、６５５として使用される。
【００４５】
図７Ａ及び図７Ｂは、本発明の実施形態による端末の受信ビーム方向別サブスケジューリングチャンネルを図６のフレーム構造を用いて説明した図である。
【００４６】
図７Ａ及び図７Ｂに示されたフレーム７０１の基本的な構造は、図６で説明したフレーム６０１の構造と同一である。すなわち一つのフレーム７０１は、例えば、５ｍｓの長さを有し、５個のサブフレーム７０３で構成される。それぞれのサブフレーム７０３は、基地局から端末に向けて信号を送信するダウンリンク送信区間７１１と端末から基地局に向けて信号を送信するアップリンク送信区間７２１に分けられる。そしてダウンリンク送信区間７２１の一部は、ダウンリンク参照信号を送信するための参照信号領域７５１として使用される。
【００４７】
下記の実施形態において、メイン／サブスケジューリングチャンネルとそのメイン／サブスケジュールリングチャンネルが転送される領域は、説明の便宜上、同一の参照番号を付与する。
【００４８】
図６の実施形態では、スケジューリング情報を伝送するためにスケジューリングチャンネル（すなわち、スケジューリング領域（６３１、６３３、６３５）のみを利用したが、図７Ａ及び図７Ｂの実施形態は、スケジューリングチャンネル他にも一般的な制御信号を送受信するチャンネルとそのリソース領域を用いてスケジューリング及び／または制御信号を伝送することができる。
【００４９】
図７Ａのスケジューリング領域７３１は、フレーム構造でサービング基地局が端末にスケジューリング情報を伝送するのに使用するスケジューリングチャンネルが転送される領域で、本実施形態では、このチャンネル（領域）をメインスケジューリングチャンネルとして定義する。端末は、メインスケジューリングチャンネル７３１をサービング基地局に対して最適である受信ビームを用いて受信する。図７Ａの実施形態で、サービング基地局に対する端末の最適の受信ビームは、説明の便宜上、例えば、図５の実施形態で受信ビーム２番（ＲＸｂｅａｍ２）５３３であると仮定する。
【００５０】
端末は、受信ビーム２番５３３を用いてメインスケジューリングチャンネル７３１を受信する。また本実施形態では、メインスケジューリングチャンネル７０１に加えて端末の受信ビーム方向別にサブスケジューリングチャンネル７３３、７３５、７３７を設定する。例えば、図７Ａで参照番号７３３は、端末の受信ビーム１番に対するサブスケジューリングチャンネルが転送される領域を示し、参照番号７３５は、端末の受信ビーム３番に対するサブスケジューリングチャンネルが転送される領域を示し、参照番号７３７は、端末の受信ビーム４番に対するサブスケジューリングチャンネルが転送される領域を示す。
【００５１】
上記端末は、メインスケジューリングチャンネル７３１に加えて各受信ビーム方向別に定義されたサブスケジューリングチャンネル７３３、７３５、７３７を各スケジューリングチャンネルに対応する受信ビームを用いて受信して端末周辺の相異なる基地局が送信したスケジューリング及び／または制御信号を効果的に受信することができる。図７Ａの例は、上記端末がメインスケジューリングチャンネル７３１を受信する受信ビームＲＸ２に対しては、サブスケジューリングチャンネルが別に定義されない場合の例である。この場合、上記端末は、メインスケジューリングチャンネル７３１のリソース領域を通してサービング基地局以外の基地局が送信するスケジューリングチャンネルを受信ビームＲＸ２を用いて受信することができる。図７Ａは、端末の受信ビーム別サブスケジューリングチャンネル７３３、７３５、７３７が同一の周波数リソースを用いて相異なる時点に設定された場合の例を示しているが、サブスケジューリングチャンネル７３３、７３５、７３７は、相異なる周波数リソース上で設定されることもできる。
【００５２】
上記の図７Ａの実施形態で、端末の受信ビーム別サブスケジューリングチャンネルは、端末の周囲に存在するサービング基地局グループ（又はクラウドセル）とサービング基地局グループに属する基地局のチャンネル状態を考慮して設定されることができる。具体的に本発明で提案する方法で、端末の受信ビーム別サブスケジューリングチャンネルは、端末がサービング基地局グループに属する基地局（サービング基地局又はスケジューリング候補基地局）の各々に対して測定した最適の受信ビームとその受信性能に基づいて、より受信性能が優秀な基地局から転送されるスケジューリング情報が受信される受信ビームに対してサブスケジューリングチャンネルを時間、周波数リソース上でより優先的に設定することができる。
【００５３】
図７Ｂは、図５で例示した位置に存在する端末に対して、受信ビーム方向別にサブスケジューリングチャンネルを上記端末のサービング基地局グループに属する基地局のチャンネル状態を考慮して設定した他の一例を示した図である。図７Ｂで、図７Ａと同一の参照番号に対しては、その説明が同一であるので、詳細な説明は省略する。
【００５４】
図５の例では、上記端末のサービング基地局グループが端末の周辺に存在するセクター１、セクター５、セクター９、セクター１２で構成され、各基地局から受信される信号の強さは、セクター１、セクター９、セクター５、セクター１２の順であると仮定する。またセクター１は、受信ビーム２（ＲＸ２）５３３を用いて受信した場合、受信信号の強さが最も強くて、セクター９は、受信ビーム４（ＲＸ４）５３７、セクター５は、受信ビーム３（ＲＸ３）５３５、セクター１２は、受信ビーム１（ＲＸ１）５３１を用いて受信した場合、受信信号の強さが最も強いと仮定する。上記例では、端末に対して信号受信性能が最も優秀なセクター１の基地局５１１がサービング基地局として選択されることができ、この場合、残りのセクター５、９、１２の基地局は、スケジューリング候補基地局となる。上記の例で端末は、サービング基地局であるセクター１の基地局５１１に対して最適である受信ビーム２（ＲＸ２）５３３を用いてメインスケジューリングチャンネルを受信し、残りの受信ビーム１、受信ビーム３、受信ビーム４（５３１、５３５、５３７）を用いて各受信ビーム別に設定されたサブスケジューリングチャンネルを受信する。上記例で、各受信ビーム別にサブスケジューリングチャンネルを設定する時、受信性能がより優秀な基地局から転送されるスケジューリング情報が受信される受信ビームに対してサブスケジューリングチャンネルを時間、周波数リソース上でより優先的に設定することができる。例えば、図７Ｂの実施形態は、上記端末のサービング基地局の他に受信信号が最も強いセクター９とセクター９に対する最適の受信ビームである受信ビーム４（ＲＸ４）５３７に対するサブスケジューリングチャンネルを他の受信ビームに対するサブスケジューリングチャンネルよりも時間的により優先的に参照番号７４３の領域に設定した例を示している。また図７Ｂの実施形態は、セクター９の次に受信信号が強いセクター５とセクター５に対する最適の受信ビームである受信ビーム３に対するサブスケジューリングチャンネルを受信ビーム４に対するサブスケジューリングチャンネルの次に参照番号７４５の領域に設定し、最後に受信ビーム１に対するサブスケジューリングチャンネルを参照番号７４７の領域に設定した例を示している。
【００５５】
本発明で提案する方法によって、端末の受信ビーム別にサブスケジューリングチャンネルを設定する場合、基地局は、端末にスケジューリング及び／または制御信号を送信する時、その基地局と端末との間の最適の受信ビームに該当する（メイン又はサブ）スケジューリングチャンネルを介してスケジューリング及び／または制御信号を送信することができる。基地局が端末のサービング基地局である場合、メインスケジューリングチャンネルを用いてスケジューリング及び／または制御信号を送信し、基地局がサービング基地局ではない場合、最適の（メイン又はサブ）スケジューリングチャンネルを介してスケジューリング及び／または制御信号を送信することができる。
【００５６】
また本発明で提案する方法によって、端末の受信ビーム別にサブスケジューリングチャンネルを設定する場合、端末は、メインスケジューリングチャンネルと端末の受信ビーム別に定義されたサブスケジューリングチャンネルを用いて相異なる基地局が送信したスケジューリング及び／または制御信号を受信することができる。本発明で提案する方法において、端末は、基地局のサブスケジューリングチャンネル選択を助けるために、サービング基地局グループに属する基地局の各々に対して最適の送受信ビームを測定し、その情報を周期的に各基地局に報告しなければならない。また本発明で提案する方法で、端末は、特定サブスケジューリングチャンネルが上記端末にスケジューリングされたデータ送受信領域と時間、周波数、送受信ビーム側面で衝突が発生した場合、該当サブスケジューリングチャンネルの受信を省略することができる。
【００５７】
図８は、本発明の実施形態によってサブスケジューリングチャンネルで相異なる基地局が端末にデータ送信をスケジューリングした例を示した図である。図８の実施形態で、サブスケジューリングチャンネルは、図７Ｂの例のように設定された場合を仮定する。
【００５８】
図８を参照すると、端末は、メインスケジューリングチャンネル８３１を通してサービング基地局からデータ送受信に対するスケジューリング情報を受信する。ここで、メインスケジューリングチャンネル８３１を通して受信されるスケジューリング情報は、参照番号８３３の領域でデータを受信するために必要な情報８３１ａを含むと仮定する。上記端末は、情報８３１ａで受信したスケジューリング情報によって、領域８３３でサービング基地局からデータを受信し、領域８３３と重なった受信ビーム４（ＲＸ４）（図７Ｂの参照番号７４３参照）に対するサブスケジューリングチャンネルの受信を省略する。領域８３３のデータを受信した以後、端末は、残りのリソース領域でサブスケジューリングチャンネルの受信を継続トライすることができる。
【００５９】
図８の例で、上記端末は、受信ビーム３（ＲＸ３）（図７Ｂの参照番号７４５参照）に対するサブスケジューリングチャンネルの領域８３５を通してサービング基地局ではない他の基地局からデータ送受信に対するスケジューリング情報を受信することができる。領域８３５で受信される上記スケジューリング情報は、領域８３７でデータを受信するために必要なスケジューリング情報８３５ａを含むと仮定する。この場合、上記端末は、領域８３５で受信したスケジューリング情報８３５ａによって領域８３７でデータを受信し、領域８３７と重複するサブスケジューリングチャンネルの受信を省略する。
【００６０】
図９は、本発明の実施形態によるビームフォーミングシステムにおける端末がＨＡＲＱを用いてデータパケットを受信する例を示した図であり、図９の実施形態で端末は、メイン又はサブスケジューリングチャンネルを用いてデータパケットをＨＡＲＱ技法を通してサービング基地局グループに属する基地局から受信する。
【００６１】
図９の（Ａ）を参照すると、端末９２１は、例えば、フレームを構成する複数のサブフレームのうち第１のサブフレームでメインスケジューリングチャンネルを介してサービング基地局９１１（Ｃｅｌｌ−０）からスケジューリング情報を受信し、上記スケジューリング情報によってデータパケットを受信する。図９の例では、端末９２１が一番目のデータパケットの復号化に失敗した場合を仮定する。以後、端末９２１は、第２のサブフレームで図９の（Ｂ）のように基地局９１３（Ｃｅｌｌ−５）からサブスケジューリングチャンネルを介してスケジューリング情報を受信し、上記スケジューリング情報によって基地局９１３（Ｃｅｌｌ−５）から一番目の複合再転送パケットを受信する。図９の（Ｃ）の例では、端末９２１が一番目の複合再転送パケットの復号化も失敗した場合を仮定する。以後、端末９２１は、第３のサブフレームで基地局９１３（Ｃｅｌｌ−７）からサブスケジューリングチャンネルを介してスケジューリング情報を受信し、上記スケジューリング情報によって基地局９１３（Ｃｅｌｌ−５）から二番目の複合再転送パケットを受信する。
【００６２】
図１０は、本発明の実施形態によって受信ビーム別サブスケジューリングチャンネルを介してスケジューリング情報を受信する端末の動作を示したフローチャートである。
【００６３】
図１０を参照すると、端末は、ステップ１００１で、まずサービング基地局からメインスケジューリングチャンネルを受信する。ステップ１００３で、端末がメインスケジューリングチャンネルを受信するためには、サービング基地局の信号が最も強く受信された最適の受信ビームが使用される。以後、端末は、ステップ１００３乃至ステップ１００９の動作を端末の各受信ビーム別に遂行する。
【００６４】
具体的に、上記端末は、ステップ１００３で、受信ビームｉ（ここで、“ｉ”は、各受信ビームのインデックス）に対して予め設定されたサブスケジューリングチャンネルの時間、周波数、送受信ビームリソース情報のうち少なくとも一つ（以下、“サブスケジューリングチャンネルのリソース”）を判断し、ステップ１００５で、上記サブスケジューリングチャンネルのリソースが端末にスケジューリングされたデータ送受信リソースと衝突が発生するかを判断する。
【００６５】
ステップ１００５で、受信ビームｉに対するサブスケジューリングチャンネルのリソースが端末にスケジューリングされたデータ送受信リソースと衝突する場合、端末は、該当サブスケジューリングチャンネルの受信を省略し、次の受信ビームｉ＋１に対して上記ステップ１００３に移動して以後の動作を反復する。上記ステップ１００５で、受信ビームｉに対するサブスケジューリングチャンネルのリソースが端末にスケジューリングされたデータ送受信リソースと衝突しない場合、上記端末は、ステップ１００７で、上記ステップ１００３で判断したサブスケジューリングチャンネルのリソースで受信ビームｉを利用してサブスケジューリングチャンネルを受信する。以後、上記端末は、ステップ１００９で、全ての受信ビームに対して上記の受信動作を完了したかを判断し、全ての受信ビームに対して上記の受信動作が完了した場合、スケジューリングチャンネルの受信動作を終了する。
【００６６】
一方、上記のステップ１００９で、全ての受信ビームに対してサブスケジューリングチャンネルの受信動作が完了しない場合、上記のステップ１０１１に移動して次の受信ビームｉ＋１に対して上記のステップ１００３乃至ステップ１００９の動作を遂行する。
【００６７】
本実施形態では、端末が受信可能な全ての受信ビームに対して上記受信動作を遂行すると説明したが、これは、一実施形態を示したものであり、他の実施形態でメインスケジューリングチャンネルの受信が成功した場合、サブスケジューリングチャンネルを受信しないか、または全体受信ビームのうちで受信信号強さが定められた値以上である少なくとも一つの受信ビームに対してサブスケジューリングチャンネルの受信動作が遂行されるように実施することも可能である。
【００６８】
図１１は、本発明で提案する受信ビーム別サブスケジューリングチャンネルを介してスケジューリング情報を送信する基地局の動作を示したフローチャートである。
【００６９】
まず、図１１の実施形態は、一つの端末に対して遂行される動作を例示しているが、基地局は、該当基地局をスケジューリング候補としてサービング基地局グループに含む全ての端末に対して図１１の動作を反復して遂行する。
【００７０】
図１１を参照すると、ステップ１１０１で、基地局は、端末に対してその端末のサービング基地局グループに含まれた他の基地局とスケジューリングに関する交渉を遂行する。上記交渉には、データ及びスケジューリング情報を送受信する基地局、データ送受信時点、データ送受信に使用されるリソース、データ送受信に使用される送受信ビーム、データ送受信に使用される多重アンテナ設定情報などが交渉対象として含まれることができる。上記基地局は、ステップ１１０３で、上記のステップ１１０１の交渉結果、該当端末に対するスケジューリング情報が上記基地局から送信されると決定された場合、すなわち、該当端末に対するスケジューリングが決定された場合、ステップ１１０５で、上記基地局が該当端末のサービング基地局であるかを判断する。上記基地局が該当端末のサービング基地局である場合、ステップ１１０７で、上記基地局は、メインスケジューリングチャンネルを介して上記のステップ１１０１で交渉されたスケジューリング情報を送信する。上記スケジューリング情報には、データの送受信時点、データが送受信されるリソース情報及び送受信ビーム情報、データ送受信に使用される多重アンテナ設定情報のうち少なくとも一つが含まれることができる。
【００７１】
一方、上記基地局は、上記のステップ１１０５の判断結果、該当端末のサービング基地局ではない場合、ステップ１１０９で、該当端末のサブスケジューリングチャンネルのうち、該当端末が上記基地局の信号を最もよく受信することができる最適のサブスケジューリングチャンネルを該当端末が周期的に報告したサービング基地局グループの受信信号測定結果に基づいて選択し、選択されたサブスケジューリングチャンネルが設定されたリソース領域を把握する。以後、上記基地局は、ステップ１１１１で、上記選択されたサブスケジューリングチャンネルとそのチャンネルが設定されたリソース領域で、上記のステップ１１０１で交渉された該当端末のスケジューリング情報を送信する。上記スケジューリング情報には、データの送受信時点、データが送受信されるリソース情報及び送受信ビーム情報、データ送受信に使用される多重アンテナ設定情報のうち少なくとも一つが含まれることができる。
【００７２】
本発明の他の実施形態では、端末の受信ビーム別にサブスケジューリングチャンネルが設定されている状況で、基地局が特定端末を特定時点でスケジューリングしないか、その端末に対して制御信号を送信しない場合、その端末が不要にサブスケジューリングチャンネルを受信する負担を減らすために、上記特定端末がサービング基地局のメインスケジューリングチャンネルを介してスケジューリングされないことを指示する情報（Not scheduled indication）を上記特定端末に送信する方法を提案する。また本発明の他の実施形態では、端末がメインスケジューリングチャンネルを介してスケジューリングされないことを指示する情報（Not scheduled indication）を受信した場合、全てのサブスケジューリングチャンネルの受信を省略する方法を提案する。
【００７３】
図１２は、本発明の他の実施形態によるフレーム構造の一例を示した図である。
【００７４】
図１２に示されたフレーム１２０１の基本的な構造は、図７Ａで説明したフレーム７０１の構造と同一である。すなわち一つのフレーム１２０１は、例えば、５ｍｓの長さを有し、５個のサブフレーム１２０３で構成される。それぞれのサブフレーム１２０３は、基地局から端末に向けて信号を送信するダウンリンク送信区間１２１１と、端末から基地局に向けて信号を送信するアップリンク送信区間１２２１に分けられる。そしてスケジューリング領域１２３１は、フレーム構造で基地局が端末にスケジューリング情報を伝送するために使用するメインスケジューリングチャンネルが転送される領域であり、ダウンリンク送信区間１２２１の一部は、ダウンリンク参照信号（reference signal）を送信するための参照信号領域１２５１として使用される。
【００７５】
図１２を参照して特定端末がスケジューリングされないことを指示する情報（Not scheduled indication）を送受信する本発明の他の実施形態を説明する。
【００７６】
他の実施形態で提案する方法で、基地局が特定端末を特定時点でスケジューリングしないか、その特定端末に対して制御信号を送信しない場合、図１２のメインスケジューリングチャンネル１２３１を通して上記特定端末のサービング基地局がその特定端末をスケジューリングしなかったことを指示する情報（Not scheduled indication）１２３１ａを送信する。メインスケジューリングチャンネル１２３１を通してスケジューリングされないことを指示する情報１２３１ａを受信した端末は、該当サブフレームでサブスケジューリングチャンネルを受信する動作を省略する。
【００７７】
図１３は、本発明の他の実施形態によって、端末がスケジューリングチャンネルを介してスケジューリング情報を受信する動作を示したフローチャートである。
【００７８】
図１３を参照すると、端末は、ステップ１３０１で、まずサービング基地局からメインスケジューリングチャンネルを受信する。上記のステップ１３０１で端末がメインスケジューリングチャンネルを受信するのには、サービング基地局の信号が最も強く受信された最適の受信ビームが使用される。以後、上記端末は、ステップ１３０３でメインスケジューリングチャンネルを介して図１２で説明したスケジューリングされなかったという情報（すなわちNot scheduled indication）を受信したかを判断する。上記スケジューリングされなかったという情報を受信した場合、上記端末は、以後、スケジューリングチャンネルの受信動作を終了する。上記スケジューリングされなかったという情報を受信しない場合、すなわち上記端末が正常にスケジューリングされる場合、上記端末は、ステップ１３０５で、例えば、図９の実施形態で説明したメイン／サブスケジューリングチャンネルの送受信動作を引続き遂行する。
【００７９】
図１４は、本発明の他の実施形態によって、基地局がスケジューリングチャンネルを介してスケジューリング情報を送信する動作を示したフローチャートである。
【００８０】
まず図１４の実施形態は、一つの端末に対して遂行される動作を例示しているが、基地局は、該当基地局をスケジューリング候補としてサービング基地局グループに含む全ての端末に対して図１１の動作を反復して遂行する。
【００８１】
図１４を参照すると、上記基地局は、ステップ１４０１で端末に対してその端末のサービング基地局グループに含まれた基地局とスケジューリングに関する交渉を遂行する。上記交渉には、データ及びスケジューリング情報を送受信する基地局、データ送受信時点、データ送受信に使用されるリソース、データ送受信に使用される送受信ビーム、データ送受信に使用される多重アンテナ設定情報などが交渉対象として含まれることができる。
【００８２】
上記基地局は、ステップ１４０３で、上記のステップ１４０１の交渉結果、該当端末に対するデータ及び／または制御信号の送受信がスケジューリングされた場合、ステップ１４０９でメイン／サブスケジューリングチャンネルの送信及び／またはデータチャンネル送受信動作を遂行する。ステップ１４０３の判断結果、該当端末に対するデータ送受信がスケジューリングされない場合、ステップ１４０５で上記基地局は、該当端末のサービング基地局であるかを判断する。上記基地局が該当端末のサービング基地局である場合、ステップ１４０７で、上記基地局は、メインスケジューリングチャンネルを介して該当端末にスケジューリングされなかったことを指示する情報（すなわちNot scheduled indication）を送信する。
【００８３】
本発明のさらに他の実施形態では、端末の受信ビーム別にサブスケジューリングチャンネルが設定されている状況で、基地局が特定端末のスケジューリングチャンネルの受信性能を向上させるために、同一のスケジューリング及び／または制御信号を相異なる基地局がメイン／サブスケジューリングチャンネルを介して端末に結合送信（joint transmission）する方法を提案する。また本実施形態では、端末がスケジューリング及び／または制御信号の受信性能を向上させるために、メイン／サブスケジューリングチャンネルを介して相異なる基地局から受信されたスケジューリング及び／または制御信号を結合受信（joint reception）及び結合復号化（joint decoding）する動作を提案する。
【００８４】
図１５は、本発明のさらに他の実施形態によって、スケジューリング情報を結合送受信するためのフレーム構造の一例を示した図である。
【００８５】
図１５に示されたフレーム１５０１の基本的な構造は、図７Ａで説明したフレーム７０１の構造と同一である。すなわち一つのフレーム１５０１は、例えば、５ｍｓの長さを有し、５個のサブフレーム１５０３で構成される。それぞれのサブフレーム１５０３は、基地局から端末に向けて信号を送信するダウンリンク送信区間１５１１と、端末から基地局に向けて信号を送信するアップリンク送信区間１５２１とに分けられる。そしてスケジューリング領域１５３１は、フレーム構造で基地局が端末にスケジューリング情報を伝送するのに使用するメインスケジューリングチャンネルが転送される領域であり、ダウンリンク送信区間１５２１の一部は、ダウンリンク参照信号（reference signal）を送信するための参照信号領域１５５１として使用される。
【００８６】
図１５の例で、基地局が特定端末のスケジューリングチャンネルに対して結合送信（joint transmission）を決定した場合、上記端末のサービング基地局は、メインスケジューリングチャンネルを介して上記端末のスケジューリング及び／または制御信号を送信し、サービング基地局グループの候補基地局は、その基地局と端末との間の最適の受信ビームに該当する（メイン又はサブ）スケジューリングチャンネルを介して同一のスケジューリング及び／または制御信号を結合送信する。図１５の例で端末は、メイン／サブスケジューリングチャンネル１５３１、１５３３、１５３５、１５３７を通じて相異なる基地局から受信されたスケジューリング及び／または制御信号を結合受信（joint reception）及び結合復号化（joint decoding）する動作を遂行する。
【００８７】
図１６は、本発明の実施形態による基地局の構成を示したブロック図である。
【００８８】
図１６を参照すると、基地局は、無線ネットワークを通してスケジューリング及び／または制御信号とデータを伝送する送信部１６１０と、無線ネットワークを通して上記端末から転送されるデータを受信する受信部１６３０とを含む。また図１６の基地局は、図５乃至図１５で説明した本発明の実施形態によって設定されたメイン／サブスケジューリングチャンネルを介して端末にスケジューリング及び／または制御信号を伝送し、ダウンリンク区間でデータを伝送するように送信部１６１０の動作を制御し、受信部１６３０の受信動作を制御する制御部１６５０を含む。例えば、制御部１６５０は、サービング基地局グループに属する少なくとも一つの他の基地局と端末に対するスケジューリングを交渉し、上記基地局がサービング基地局であり、上記端末に対するスケジューリングが決定された場合、メインスケジューリングチャンネルを伝送し、上記基地局がサービング基地局グループに属するが、サービング基地局ではなく、上記端末に対するスケジューリングが決定された場合、サブスケジューリングチャンネルを伝送する動作を制御する。図１６の構成を有する基地局の具体的な動作は、図５乃至図１５で説明したようであるので、その詳細な説明は省略する。
【００８９】
また図示せずが、上記基地局は、他の基地局とスケジューリング交渉などのための通信インターフェースを含む。
【００９０】
図１７は、本発明の実施形態による端末の構成を示したブロック図である。
【００９１】
図１７を参照すると、端末は、無線ネットワークを通して基地局にデータを伝送する送信部１７１０と、無線ネットワークを通して上記基地局から転送されるスケジューリング及び／または制御信号とデータを受信する受信部１７３０とを含む。また端末は、上記基地局から図５乃至図１５で説明した本発明の実施形態によって各受信ビームの方向に対応するように設定されたメイン／サブスケジューリングチャンネルを介してスケジューリング及び／または制御信号を受信し、ダウンリンク区間でデータを受信するように受信部１７３０の動作を制御し、アップリンク区間でデータを伝送するように送信部１７１０の動作を制御する制御部１７５０を含む。例えば、制御部１７５０は、各受信ビームのビーム形成を制御して上記サービング基地局が伝送するメインスケジューリングチャンネルを受信し、各受信ビーム別にサブスケジューリングチャンネルのリソースを判断し、上記判断結果、上記各受信ビーム別にデータ送受信リソースと衝突が発生しないサブスケジューリングチャンネルをサービング基地局グループに属する少なくとも一つの他の基地局から受信する動作を制御する。このために制御部１７５０は、各受信ビームの受信性能に基づいて上記メインスケジューリングチャンネル及び上記サブスケジューリングチャンネルに対応する方向の受信ビームを決定する。
【００９２】
図１５の構成を有する端末の具体的な動作は、図５乃至図１５で説明したようであるので、その詳細な説明は省略する。
【００９３】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なもの範囲内で定められるべきものである。
【符号の説明】
【００９４】
５１１  サービング基地局
５１３  基地局
５２１  端末
５３１、５３３、５３５、５３７  受信ビーム
１６１０、１７１０  送信部
１６３０、１７３０  受信部
１６５０、１７５０  制御部
【図１】
0006266641.tif 000002
【図２】
0006266641.tif 000003
【図３】
0006266641.tif 000004
【図４Ａ】
0006266641.tif 000005
【図４Ｂ】
0006266641.tif 000006
【図５】
0006266641.tif 000007
【図６】
0006266641.tif 000008
【図７Ａ】
0006266641.tif 000009
【図７Ｂ】
0006266641.tif 000010
【図８】
0006266641.tif 000011
【図９】
0006266641.tif 000012
【図１０】
0006266641.tif 000013
【図１１】
0006266641.tif 000014
【図１２】
0006266641.tif 000015
【図１３】
0006266641.tif 000016
【図１４】
0006266641.tif 000017
【図１５】
0006266641.tif 000018
【図１６】
0006266641.tif 000019
【図１７】
0006266641.tif 000020